(57)【要約】【課題】  プリセットリストの更新に要する時間を短縮した「マルチメディア放送受信装置、プリセットリストの更新方法および更新プログラム」を提供する。【解決手段】  Ｖ−Ｌｏｗマルチメディア放送受信装置は、選択されたセグメントを受信する受信部と、受信手段にスキャンさせるスキャン部と、受信されたセグメントの伝送情報を抽出する情報抽出部と、伝送情報に基づきプリセットリストを作成するリスト作成部と、伝送情報を記憶する情報記憶部と、プリセットリストを更新するリスト更新部とを有する。リスト更新部は、スキャンにより得られたセグメントの連結ＩＤが、記憶部に記憶されたセグメントの連結ＩＤと一致する場合には、連結されたセグメントの範囲が除外されるようにスキャンを制御し、プリセットリストの更新に要する時間を短縮する。【選択図】  図１０
2014096756.tif 000002
【特許請求の範囲】
【請求項１】
１つの伝送帯域を複数のセグメントに分割し、１つのセグメントが複数の周波数帯域を含み、１つまたは複数のセグメントに１つの放送サービスが割り当てられ、複数のセグメントが連結された放送波を受信可能なマルチメディア放送受信装置であって、
選択されたセグメントを受信する受信手段と、
前記受信手段に伝送帯域をスキャンさせるスキャン手段と、
前記スキャン手段により受信されたセグメントの伝送情報を抽出する抽出手段と、
前記抽出手段により抽出された伝送情報に基づき放送サービスを受信するために必要な情報を登録したプリセットリストを作成する作成手段と、
前記伝送情報を記憶する記憶手段と、
前記スキャン手段により前記プリセットリストを更新する更新手段とを有し、
前記更新手段は、前記スキャン手段により得られた伝送情報に含まれるセグメントの連結を識別する識別情報が、前記記憶手段に記憶された伝送情報に含まれるセグメントの識別情報に一致するか否かを判定し、一致すると判定した場合には、連結されたセグメントの範囲が除外されるように前記スキャン手段のスキャンを制御する、マルチメディア放送受信装置。
【請求項２】
前記更新手段は、同一の識別情報を有するセグメントに基づき連結されたセグメントの範囲を決定する、請求項１に記載のマルチメディア放送受信装置。
【請求項３】
前記更新手段は、前記スキャン手段により得られたセグメントの周波数を基準に、残りの連結されたセグメントの周波数を更新する、請求項１または２に記載のマルチメディア放送受信装置。
【請求項４】
前記更新手段は、前記記憶手段に記憶された伝送情報に基づき連結されたセグメントの構成を推測する、請求項１ないし３いずれか１つに記載のマルチメディア放送受信装置。
【請求項５】
前記更新手段は、前記記憶手段に記憶された伝送情報および前記スキャン手段により得られた伝送情報の双方を用いてプリセットリストを更新する、請求項１ないし４いずれか１つに記載のマルチメディア放送受信装置。
【請求項６】
マルチメディア放送受信装置は車載機であり、前記更新手段は、現在受信している放送サービスの受信感度が低下したときプリセットリストの更新を行う、請求項１に記載のマルチメディア放送受信装置。
【請求項７】
前記放送波は、ＶＨＦの１チャンネルから３チャンネルの伝送帯域を有するＶ−Ｌｏｗマルチメディア放送である、請求項１ないし６いずれか１つに記載のマルチメディア放送受信装置。
【請求項８】
１つの伝送帯域を複数のセグメントに分割し、１つのセグメントが複数の周波数帯域を含み、１つまたは複数のセグメントに１つの放送サービスが割り当てられ、複数のセグメントが連結された放送波を受信可能なマルチメディア放送受信装置のプリセットリストの更新方法であって、
伝送帯域をスキャンし、受信したセグメントの伝送情報を抽出し、
抽出された伝送情報に基づき放送サービスを受信するために必要な情報を登録したプリセットリストを作成し、
プリセットリストを更新するステップとを含み、
前記プリセットリストを更新するステップは、スキャンにより得られた伝送情報に含まれるセグメントの連結を識別する識別情報が以前にプリセットリストを作成するときに得られた伝送情報の識別情報と一致するか否かを判定し、一致すると判定した場合には、連結されたセグメントの範囲が除外されるようにスキャンを制御する、プリセットリストの更新方法。
【請求項９】
前記更新するステップは、同一の識別情報を有するセグメントに基づき連結されたセグメントの範囲を決定する、請求項８に記載の更新方法。
【請求項１０】
前記更新するステップは、スキャンにより得られたセグメントの周波数を基準に、残りの連結されたセグメントの周波数を更新する、請求項８または９に記載の更新方法。
【請求項１１】
前記更新するステップは、以前に得られた伝送情報に基づき連結されたセグメントの構成を推測する、請求項８ないし１０いずれか１つに記載の更新方法。
【請求項１２】
前記更新するステップは、以前に得られた伝送情報およびスキャンにより得られた伝送情報の双方を用いてプリセットリストを更新する、請求項８ないし１１いずれか１つに記載の更新方法。
【請求項１３】
マルチメディア放送受信装置は車載機であり、前記更新するステップは、現在受信している放送サービスの受信感度が低下したときプリセットリストの更新を行う、請求項８に記載の更新方法。
【請求項１４】
前記放送波は、ＶＨＦの１チャンネルから３チャンネルの伝送帯域を有するＶ−Ｌｏｗマルチメディア放送である、請求項８ないし１３いずれか１つに記載の更新方法。
【請求項１５】
１つの伝送帯域を複数のセグメントに分割し、１つのセグメントが複数の周波数帯域を含み、１つまたは複数のセグメントに１つの放送サービスが割り当てられ、複数のセグメントが連結された放送波を受信可能なマルチメディア放送受信装置が実行するプリセットリストの更新プログラムであって、
伝送帯域をスキャンし、受信したセグメントの伝送情報を抽出し、
抽出された伝送情報に基づき放送サービスを受信するために必要な情報を登録したプリセットリストを作成し、
プリセットリストを更新するステップとを含み、
前記プリセットリストを更新するステップは、スキャンにより得られた伝送情報に含まれるセグメントの連結を識別する識別情報が以前にプリセットリストを作成するときに得られた伝送情報の識別情報と一致するか否かを判定し、一致すると判定した場合には、連結されたセグメントの範囲が除外されるようにスキャンを制御する、プリセットリストの更新プログラム。
【請求項１６】
前記更新するステップは、同一の識別情報を有するセグメントに基づき連結されたセグメントの範囲を決定する、請求項１５に記載の更新プログラム。
【請求項１７】
前記更新するステップは、スキャンにより得られたセグメントの周波数を基準に、残りの連結されたセグメントの周波数を更新する、請求項１５または１６に記載の更新プログラム。
【請求項１８】
前記更新するステップは、以前に得られた伝送情報に基づき連結されたセグメントの構成を推測する、請求項１５ないし１７いずれか１つに記載の更新プログラム。
【請求項１９】
前記更新するステップは、以前に得られた伝送情報およびスキャンにより得られた伝送情報の双方を用いてプリセットリストを更新する、請求項１５ないし１８いずれか１つに記載の更新プログラム。
【請求項２０】
マルチメディア放送受信装置は車載機であり、前記更新するステップは、現在受信している放送サービスの受信感度が低下したときプリセットリストの更新を行う、請求項１５に記載の更新プログラム。
【発明の詳細な説明】
【技術分野】
【０００１】
本発明は、マルチメディア放送受信装置に関し、特に、ＶＨＦの１チャンネルないし３チャンネルを利用した、いわゆるＶ−Ｌｏｗマルチメディア放送を受信する受信装置に関する。
【背景技術】
【０００２】
地上デジタル放送は、１チャンネルの伝送帯域を１３のセグメントに分割し、セグメント単位で異なる変調方式を採用することで、固定受信機向けの放送サービス（いわゆるフルセグメント放送）と、移動体／携帯端末向けの放送サービス（いわゆるワンセグメント）放送とを同時に送信することを可能にしている。最近の車載地上デジタル放送受信機では、受信感度が良好のときフルセグメント放送を受信し、受信感度が悪化するとノイズ耐性があるワンセグメント放送へ自動的に受信を切り替えるものがある。
【０００３】
また、車載地上デジタル放送受信機では、移動に伴って現在視聴している番組の受信エリアを外れてしまった場合等に、次の中継局や系列局を探す放送局サーチ機能や、受信可能な放送サービスとその周波数（またはチャンネル情報）が登録されたプリセットリストの作成または更新のためにスキャン機能が搭載されている。特許文献１では、受信中の番組と同一番組を放送している中継局やその系列局を迅速に効率よくサーチするため、中継局が見つからなかった場合には、記憶部に記憶された系列識別と同じ系列局を検索するデジタル放送受信装置を開示している（特許文献１）。
【先行技術文献】
【特許文献】
【０００４】
【特許文献１】特開２００９−１８８８８０号公報
【発明の概要】
【発明が解決しようとする課題】
【０００５】
プリセットリストは、上記したように受信可能な放送サービス（またはチャンネル情報）の周波数を予め登録しておくものであり、ユーザーが視聴したいチャンネルを選局したとき、プリセットリストを参照することで、対応する周波数を即座に受信させることができる。車載機が受信エリアを外れたとき、中継局または系列局の放送局サーチが実行され、中継局または系列局が検出されれば、受信が切り替えられるとともに、プリセットリストも更新される。しかし、更新されるのは、現在視聴中の放送局に対応する中継局または系列局だけであり、それ以外の放送サービスまたはチャンネル情報は更新されない。このため、ユーザーが他の放送サービスの選局を行ったとき、プリセットリストの情報は未更新であるため、その放送サービスも受信エリアを外れている可能性が高い。もし、受信できない場合には、再度、放送局サーチが行われてしまう。
【０００６】
他方、プリセットリストに含まれるすべての放送サービスまたはチャンネル情報を常に最新にしたいという要望もある。この場合、放送局サーチの実行後あるいは他のタイミングで伝送帯域の放送局のスキャンが行われ、現在の受信エリアで視聴可能な放送サービスが反映されるようにプリセットリストが更新される。しかしながら、全ての伝送帯域の周波数に対して放送信号が受信可能であるか否かを確認しなければならず、プリセットリストを更新するには多くの時間を費やしてしまうという課題がある。
【０００７】
日本では、２０１１年７月２４日のアナログＴＶ停波後、空いたＶＨＦ−Ｌｏｗの周波数帯域である、９０ＭＨｚ〜１０８ＭＨｚ（１ＣＨ〜３ＣＨ）を利用して、デジタルラジオ放送等のマルチメディア放送が行われる予定となっている。以下、この放送を、便宜上、Ｖ−Ｌｏｗマルチメディア放送と呼ぶこととする。
【０００８】
Ｖ−Ｌｏｗマルチメディア放送で利用可能な周波数帯域は１８ＭＨｚであり、ＶＨＦの１つのチャンネルに割り当てられる伝送帯域は６ＭＨｚである。１つのチャンネル（６ＭＨｚ）は、図１に示すように、４２に番号付けされた仮想チャンネルまたはサブチャンネルに分割される。サブチャンネル０〜３を除くサブチャンネルがセグメントに割り当てられ、１つのセグメントは、連続する３つのサブチャンネルから構成される。その結果、６ＭＨｚの帯域には最大で１３個のセグメントが存在する。放送局は、１つまたは複数のセグメントを利用して放送サービス（番組）を伝送することができる。例えば、ある放送局は、３つのセグメントを利用して放送サービスを提供し、ある放送局は、１つのセグメントを利用して放送サービスを提供する。デジタル放送受信機側では、１つのセグメントを構成する中央のサブチャンネルの周波数を受信することになる。このように、Ｖ−Ｌｏｗマルチメディア放送では、ＶＨＦの１つのチャンネルの中に複数の放送サービス、すなわち複数のトランスポートストリーム（ＴＳ）の運用を想定している点で、１つのチャンネル内に放送サービスまたはトランスポートストリームが１つという地上デジタル放送と伝送方法を異にする。
【０００９】
Ｖ−Ｌｏｗマルチメディア放送のシステム上の特徴として、複数のセグメントをガードバンドなしに送信する連結送信が行われる。図２（Ａ）は、地域Ａの伝送帯域ａにおける連結送信の例、図２（Ｂ）は、地域Ｂの伝送帯域ｂにおける連結送信の例を示している。ＶＨＦの１ＣＨ内に複数のトランスポートストリーム（ＴＳ）が伝送されるＶ−Ｌｏｗマルチメディア放送では、１セグメント（428kHz）単位で選局が行われ、それぞれのセグメントのトランスポートストリームからサービス構成および番組情報が抽出される。地上デジタル放送と異なり、ＶＨＦの１つのチャンネル（６ＭＨｚの伝送帯域）内に複数の放送サービスまたは放送番組が存在するため、６ＭＨｚの帯域内にガードバンドを挿入すると、有効に利用できるセグメントの数が少なくなってしまう。このため、Ｖ−Ｌｏｗマルチメディア放送では、セグメントの連結送信という伝送方式を採用する。図２（Ａ）の例では、１つの伝送帯域内に、１セグメント×５と、３セグメント×２が含まれ、その結果、７つの放送サービス、すなわち７つのトランスポートストリームが存在する。そして、１セグメント×４と、３セグメント×１が１つに連結され、合計で７セグメントが連結送信される。
【００１０】
連結送信が運用される場合、放送事業者が連結やＴＳの構成を決定するため、連結の構成は地域によって異なることがある。図２（Ｂ）は、地域Ｂの伝送帯域の伝送例である。ここでは、伝送帯域内に、１セグメント×４、３セグメント×２が含まれ、その結果、６つの放送サービスまたはＴＳが存在する。そして、１セグメント×１と、３セグメント×１が連結され、合計で４セグメントが連結送信される。
【００１１】
図３は、３つのセグメントを連結送信する伝送符号化部の概略構成を示す図である。音声、映像、データをパケット化したトランスポートストリームＴＳ１ないしＴＳ３は、外符号部１０、１２、１４に供給され、外符号のパリティが付加される。外符号化された信号は、ここには図示しないが、誤り符号化、キャリア変調、インターリーブ等の処理が施された後、ＯＦＤＭ部２０、２２、２４において直交周波数多重変調されたＯＦＤＭフレーム構成に変換される。各ＯＦＤＭフレームは、ＯＦＤＭフレームＩＦＦＴ入力割り付け部３０に供給され、そこでＯＦＤＭフレームが連結され、ＩＦＥＴ３２で逆ＦＦＴ演算され、３つのセグメントが連結されたＯＦＤＭ信号が出力される。受信機は、ＯＦＤＭ信号を受信し、これを複合、復調し、元のトランスポートストリームＴＳ１ないしＴＳ３を抽出する。
【００１２】
このようなＶ−Ｌｏｗマルチメディア放送を受信可能な車載機においてプリセットリストを更新する際の具体的な課題を説明する。図４（Ａ）では、ＶＨＦ１、ＶＨＦ２、ＶＨＦ３に各１局が存在し、ＶＨＦ１の放送局は、７セグメント（１seg×４サービス、３seg×１サービス）を連結送信し、現在、連結送信されたセグメントの放送サービス２（サブチャンネル６〜８）を視聴しているものとする。放送エリアを外れ、視聴中の番組を受信できなくなった場合、中継局または系列局の放送局サーチが実施される。図５（Ａ）は、放送局サーチが実行される前のプリセットリストを示している。本例のプリセットリストには、以前のスキャンで得られた放送サービス名とそれに対応するチャンネル情報（周波数）が登録されている。
【００１３】
図４（Ｂ）は、放送局サーチによりＶＨＦの２ＣＨに中継局または系列局が見つかった例を示している。中継局サーチは、現在受信している放送信号に含まれるＮＩＴ(Network Information Table：放送局情報)から中継局の周波数を抽出し、受信可能か否かを確認する。系列局サーチは、系列局の周波数が未知であるため、伝送帯域をスキャンし系列局を検索する。図５（Ｂ）は、放送局サーチの実行後に更新されたプリセットリストを示している。放送局サーチにより、ＶＨＦの２ＣＨに中継局の受信が確認されたため、プリセットリストのセグメントＮｏ．２の放送サービスのチャンネル情報が「２２２」に更新される。それ以外の放送サービスのチャンネル情報は、未更新のままである。仮に、ユーザーが放送サービス２以外の選局を行うと、その放送サービスも放送エリアを外れている可能性が高く、受信できない場合には、再び、放送局サーチが実行されてしまう。
【００１４】
プリセットリストの全放送サービスのチャンネル情報を更新させる場合、ＶＨＦの１ＣＨから３ＣＨまで全周波数帯域をスキャンし、受信可能な放送サービスが検索される。例えば、図５に示すプリセットリストの例では、１５の放送サービスが伝送されているので、プリセットリストの更新を完了するのに要する時間は、概略、次のようになる。
１サービス当たりのＮＩＴ取得にかかる時間を１秒とすると、１５×１秒＝１５秒
１サブチャンネル当たりの無信号判定にかかる時間を０．３秒とすると、（１２６−１５）×０．３秒＝３３．３秒、その結果、合計で、約４８．３秒の長い時間を必要としてしまう。
【００１５】
本発明は、このような従来の課題を解決するものであり、プリセットリストの更新に要する時間を短縮したマルチメディア放送受信装置、プリセットリストの更新方法および更新プログラムを提供することを目的とする。
【課題を解決するための手段】
【００１６】
本発明に係るマルチメディア放送受信装置は、１つの伝送帯域を複数のセグメントに分割し、１つのセグメントが複数の周波数帯域を含み、１つまたは複数のセグメントに１つの放送サービスが割り当てられ、複数のセグメントが連結された放送波を受信可能なものであって、選択されたセグメントを受信する受信手段と、前記受信手段に伝送帯域をスキャンさせるスキャン手段と、前記スキャン手段により受信されたセグメントの伝送情報を抽出する抽出手段と、前記抽出手段により抽出された伝送情報に基づき放送サービスを受信するために必要な情報を登録したプリセットリストを作成する作成手段と、前記伝送情報を記憶する記憶手段と、前記スキャン手段により前記プリセットリストを更新する更新手段とを有し、前記更新手段は、前記スキャン手段により得られた伝送情報に含まれるセグメントの連結を識別する識別情報が、前記記憶手段に記憶された伝送情報に含まれるセグメントの識別情報に一致するか否かを判定し、一致すると判定した場合には、連結されたセグメントの範囲が除外されるように前記スキャン手段のスキャンを制御する。
【００１７】
好ましくは前記更新手段は、同一の識別情報を有するセグメントに基づき連結されたセグメントの範囲を決定する。好ましくは前記更新手段は、前記スキャン手段により得られたセグメントの周波数を基準に、残りの連結されたセグメントの周波数を更新する。好ましくは前記更新手段は、前記記憶手段に記憶された伝送情報に基づき連結されたセグメントの構成を推測する。好ましくは前記更新手段は、前記記憶手段に記憶された伝送情報および前記スキャン手段により得られた伝送情報の双方を用いてプリセットリストを更新する。好ましくはマルチメディア放送受信装置は車載機であり、前記更新手段は、現在受信している放送サービスの受信感度が低下したときプリセットリストの更新を行う。好ましくは前記放送波は、ＶＨＦの１チャンネルから３チャンネルの伝送帯域を有するＶ−Ｌｏｗマルチメディア放送である。
【００１８】
本発明に係るマルチメディア放送受信装置のプリセットリストの更新方法は、１つの伝送帯域を複数のセグメントに分割し、１つのセグメントが複数の周波数帯域を含み、１つまたは複数のセグメントに１つの放送サービスが割り当てられ、複数のセグメントが連結された放送波を受信可能なもので行われ、伝送帯域をスキャンし、受信したセグメントの伝送情報を抽出し、抽出された伝送情報に基づき放送サービスを受信するために必要な情報を登録したプリセットリストを作成し、プリセットリストを更新するステップとを含み、前記プリセットリストを更新するステップは、スキャンにより得られた伝送情報に含まれるセグメントの連結を識別する識別情報が以前にプリセットリストを作成するときに得られた伝送情報の識別情報と一致するか否かを判定し、一致すると判定した場合には、連結されたセグメントの範囲が除外されるようにスキャンを制御する。
【００１９】
本発明に係るマルチメディア放送受信装置が実行するプリセットリストの更新プログラムは、１つの伝送帯域を複数のセグメントに分割し、１つのセグメントが複数の周波数帯域を含み、１つまたは複数のセグメントに１つの放送サービスが割り当てられ、複数のセグメントが連結された放送波を受信可能なものが実行し、伝送帯域をスキャンし、受信したセグメントの伝送情報を抽出し、抽出された伝送情報に基づき放送サービスを受信するために必要な情報を登録したプリセットリストを作成し、プリセットリストを更新するステップとを含み、前記プリセットリストを更新するステップは、スキャンにより得られた伝送情報に含まれるセグメントの連結を識別する識別情報が以前にプリセットリストを作成するときに得られた伝送情報の識別情報と一致するか否かを判定し、一致すると判定した場合には、連結されたセグメントの範囲が除外されるようにスキャンを制御する。
【発明の効果】
【００２０】
本発明によれば、以前に得られたセグメントの連結と同じセグメントの連結が得られた場合には、セグメントの連結を除外してスキャンされるようにしたので、スキャン時間が短縮され、それにより、プリセットリストの更新に要する時間を短縮することができる。
【図面の簡単な説明】
【００２１】
【図１】Ｖ−Ｌｏｗマルチメディア放送の伝送方式を説明する図である。
【図２】Ｖ−Ｌｏｗマルチメディア放送におけるセグメントの連結送信を説明する図である。
【図３】Ｖ−Ｌｏｗマルチメディア放送におけるセグメントの連結送信をする伝送符号化部の構成を示す図である。
【図４】Ｖ−Ｌｏｗマルチメディア放送においてプリセットリストを更新する場合の課題を説明する図である。
【図５】図５（Ａ）は、放送局サーチ実行前のプリセットリストの例、図５（Ｂ）は、放送局サーチ後に更新されたプリセットリストの例を示す図である。
【図６】本発明の実施例に係るマルチメディア放送受信装置の一構成例を示すブロック図である。
【図７】本実施例のマルチメディア放送受信装置のプリセットリスト機能部の構成を示すブロック図である。
【図８】本発明の実施例の情報抽出部で抽出される伝送情報の一例を示す図である。
【図９】本発明の実施例によるプリセットリストの更新例を示すフローチャートである。
【図１０】第１の実施例によるプリセットリストの具体的な更新を説明する図である。
【図１１】第１の実施例によるプリセットリストの詳細な更新動作を説明するフローチャートである。
【発明を実施するための形態】
【００２２】
以下、本発明を実施するための好ましい形態を図面を参照して詳細に説明する。ここでは、本発明のマルチメディア放送受信装置の一例として、車載デジタル放送受信機を例示する。この車載デジタル放送受信機は、少なくともＶ−Ｌｏｗマルチメディア放送を受信する機能を有するが、これに加えてＵＨＦの伝送帯域を利用する地上デジタルテレビ放送を受信する機能を備えるものであってもよい。さらに、車載デジタル放送受信機は、ナビゲーション機能、オーディオデータ再生機能、ビデオデータ再生機能、外部機器やネットワークとの通信をする機能などを搭載するものであってもよい。
【実施例】
【００２３】
図６は、本発明の実施例に係る車載デジタル放送受信機の概略構成を示すブロック図である。本実施例に係る車載デジタル放送受信機１００は、ＶＨＦアンテナ１１０からＶ−Ｌｏｗマルチメディア放送を受信する受信部１２０、受信部１２０で受信された信号を処理するデータ処理部１３０、データ処理部１３０により処理された音声データや映像データ等を出力する出力部１４０、各部を制御する制御部１５０、プログラムやデータ等を記憶する記憶部１６０、ユーザーからの操作情報を受け取る入力部１７０等を含んで構成される。
【００２４】
受信部１２０は、入力部１７０や制御部１５０からの指示に応じて、所望のセグメントの周波数を受信するチューナを含む。Ｖ−Ｌｏｗマルチメディア放送では、１セグメントは３つのサブチャンネルから構成され、１つの放送サービスが１つのセグメントを利用する場合には、中央のサブチャンネルの周波数が受信される。また、１つの放送サービスが３つのセグメントを利用する場合には、中央のセグメントの中央のサブチャンネルの周波数が受信される。
【００２５】
データ処理部１３０は、例えば、ディジタルシグナルプロセッサ等の処理装置等を含む。データ処理部１３０は、受信部１２０からのアナログ放送信号をデジタル信号に変換するＡ／Ｄコンバータ、受信したＯＦＤＭ信号の復調等を行う復調部、復調された信号の周波数／時間インターリーブ、誤り訂正などを行う復号部、復号されたトランスポートストリーム（ＴＳ）に多重化されている音声ストリーム、映像ストリームおよびデータストリームを分離するデマルチプレクサ、音声ストリーム、映像ストリームおよびデータストリームのそれぞれをデコードするデコード部などを含んで構成される。複数のセグメントが連結送信されている場合には、各セグメントのトランスポートストリームにそれぞれ分離される。
【００２６】
データストリームには、ＮＩＴ、ＢＩＴ（Broadcaster information Table：系列局情報）、ＥＩＴ（Event Information Table：番組情報）などが含まれる。ＢＩＴには、例えば、系列局ＩＤなどが含まれ、これは系列局サーチに利用される。ＥＩＴには、放送サービス（番組）の名称、放送日時、番組内容、番組を識別するためのイベントＩＤ等が含まれている。ＮＩＴには、中継局の周波数に加え、セグメントが連結送信されていることを示す連結送信記述子（Connected transmission descriptor）が含まれる。この記述子には、連結送信を識別する識別ＩＤが含まれる。識別ＩＤは、全国でユニークなものが割り当てられる。
【００２７】
出力部１４０は、デジタル音声信号をアナログ音声信号に変換するＤ／Ａコンバータ、アナログ音声信号を出力するスピーカ、映像信号をディスプレイに描画する描画処理部、およびディスプレイ等を含んで構成される。
【００２８】
制御部１５０は、マイクロコントローラ、マイクロプロセッサ等の処理部を含み、プログラムを実行することにより各部を制御する。プログラムデータは、制御部１５０内のメモリ、または記憶部１６０からロードされる。制御部１５０は、主に、受信部１２０のチューナの動作、データ処理部１３０の復調および復号処理の動作等を制御する。さらに制御部１５０は、中継局や系列局の放送局をサーチする機能や、プリセットリストの作成および更新のために伝送帯域をスキャンする機能を備えている。
【００２９】
記憶部１６０は、種々のデータやプログラムデータを格納することが可能である。例えば、記憶部１６０は、スキャンによって得られたセグメントの伝送情報、制御部１５０によって作成されたプリセットリストの情報等を記憶する。
【００３０】
次に、本実施例の車載デジタル放送受信機のプリセットリストの作成および更新について説明する。図７に、本実施例の車載デジタル放送受信機のプリセットリスト機能部の概略構成を示す。プリセットリスト機能部２００は、制御部１５０がプログラムまたはソフトウエアを実行することにより実現されてもよいし、あるいは、ハードウエア、もしくはハードウエアとソフトウエアの組合せによって実現されてもよい。
【００３１】
プリセットリスト機能部２００は、スキャン部２１０、情報抽出部２２０、情報記憶部２３０、リスト作成部２４０、およびリスト更新部２５０を含む。図７には、プリセットリストの作成または更新のための主な機能が示され、ここにない機能は、制御部１５０が実行するものとする。スキャン部２１０は、プリセットリストを作成するとき、またはその更新を行うとき、受信部１２０に伝送帯域の下限または上限周波数から上限または下限周波数を掃引させ、受信部１２０にセグメントの周波数を受信させる。プリセットリストの作成または更新は、種々のタイミングで実行されるが、例えば、ユーザーからの指示があったとき、現在視聴している放送局の受信感度が悪化したとき、あるいは自車位置が都道府県などの境界を越えたとき等に実行され得る。
【００３２】
受信部１２０は、受信強度が一定以上のセグメントの放送信号を受信する。受信された放送信号は、上記したようにデータ処理部１３０によって種々の処理が実行される。情報抽出部２２０は、データ処理によって得られたデータストリームに含まれるＮＩＴ、ＢＩＴ、ＥＩＴなどから、プリセットリストの作成のために必要な伝送情報を抽出する。例えば、プリセットリストが図５に示す構成であるとき、情報抽出部２２０は、伝送情報として、例えば図８に示すように、受信したセグメントを識別するセグメントＩＤ、当該セグメントで伝送される放送サービス名、当該セグメントに割り当てられた周波数またはチャンネル情報、当該セグメントの連結を示す連結ＩＤなどを抽出する。情報記憶部２３０は、情報抽出部２２０で抽出された伝送情報を記憶する。こうして、スキャン部２１０によって伝送帯域のスキャンが終了すると、その伝送帯域で受信可能なすべてのセグメントの伝送情報が抽出され、それらの伝送情報が情報記憶部２３０に記憶される。
【００３３】
リスト作成部２４０は、情報記憶部２３０に記憶された伝送情報に基づきプリセットリストを作成する。プリセットリストは、図５に示すようなセグメントＩＤ、放送サービス名、チャンネル情報（周波数）を登録するが、これは一例である。要は、ユーザーが放送サービスまたはチャンネル情報を選局するときに、対応する周波数を参照することができるものであればよい。
【００３４】
リスト更新部２５０は、スキャン部２１０、情報抽出部２２０、情報記憶部２３０、リスト作成部２４０を制御し、プリセットリストの更新を行う。リスト更新部２５０は、スキャン部２１０を介して受信部１２０に伝送帯域をスキャンさせ、受信されたセグメントの放送信号から必要な伝送情報を情報抽出部２２０に抽出させ、リスト作成部２４０にプリセットリストを更新させる。
【００３５】
好ましくはリスト更新部２５０は、連結セグメント判定部２５２、連結周波数範囲決定部２５４、および連結内容推測部２５６を含む。連結セグメント判定部２５２は、プリセットリストの更新の際にスキャンによってセグメントの連結ＩＤが抽出されたとき、その連結ＩＤと、情報記憶部２３０に記憶された連結ＩＤとを比較し、両連結ＩＤが一致するか否かを判定する。ここで、スキャンにより最初に連結ＩＤが抽出されたセグメントを、便宜上、連結先頭セグメントという。スキャン部２１０によるスキャンは、伝送帯域の下限または上限の周波数から掃引されるため、連結先頭セグメントの周波数（中央のサブチャンネルの周波数）は、連結されているセグメントの中で一番低い周波数か、あるいは一番高い周波数である。
【００３６】
連結先頭セグメントの連結ＩＤが一致すると判定された場合、連結周波数範囲決定部２５４は、情報記憶部２３０の伝送情報を検索し、同一の連結ＩＤをもつセグメントを識別し、連結されているセグメントの範囲を決定する。つまり、連結先頭セグメントから連結最後のセグメントまでが決定され、その周波数範囲が決定される。
【００３７】
リスト更新部２５０は、連結周波数範囲が決定されると、当該連結周波数範囲が除外されるようにスキャン部２１０のスキャンを制御する。従って、受信部２１０は、連結先頭セグメントの次のセグメントから連結最後のセグメントまでの周波数スキャンをスキップし、連結最後のセグメントの次のセグメントからスキャンが行われる。
【００３８】
連結内容推測部２５６は、連結周波数範囲のセグメントの伝送情報がスキャンより抽出されないので、情報記憶部２３０に記憶された伝送情報に基づき、連結内容、すなわち連結先頭セグメントから連結最後のセグメントまでの数、順序、周波数等を推測する。これは、連結ＩＤが等しければ、連結されたセグメントの内容は同じであることを前提としている。従って、スキャンにより得られた連結先頭セグメントの周波数が変更されていなければ、プリセットリストに登録された連結送信の内容をそのまま利用することができる。もし、連結先頭セグメントの周波数が変更されていれば、その周波数を更新するとともに、プリセットリストに登録された連結先頭セグメントとの周波数の差分を求め、連結先頭セグメント以降のセグメントの周波数をその差分で更新すればよい。
【００３９】
次に、本実施例の車載デジタル放送受信機のプリセットリストの更新動作の詳細について説明する。図９は、プリセットリストの更新例を示すフローチャートであり、地域Ａから地域Ｂへ移動し、そこでお出かけスキャンが実行されるときにプリセットリストが更新される動作を説明するものである。まず、地域Ａにおいて初期スキャンが行われ（Ｓ１００）、プリセットリストが作成される（Ｓ１０２）。図１０（Ａ）は、Ｖ−Ｌｏｗマルチメディア放送の地域Ａの伝送帯域ａの伝送例であり、１seg×４、３seg×１が連結送信されているものとする。スキャン部２１０は、周波数の低い方から順次セグメントを受信させるものとする。受信部１２０で受信されたセグメントの放送信号のトランスポートストリームがデータ処理部１３０で抽出され、情報抽出部２２０は、データトランスポートからプリセットリストに必要な伝送情報を抽出する。図１０（Ａ）では、最初に受信されたセグメント３００は、連結送信されていないので、連結記述子には連結ＩＤが記載されていない。このため、情報抽出部２２０は、連結ＩＤを抽出しないか、連結ＩＤでないことを示す情報を抽出する。セグメント３００の受信、解析が完了すると、情報記憶部２３０には、伝送情報として、セグメントを識別するセグメントＩＤ、放送サービス名、サブチャンネルの周波数（チャンネル情報）、連結ＩＤ（連結送信されていない場合には、連結ＩＤはなし）が記憶される。
【００４０】
次に受信されるセグメント３０２は、連結送信されているため、情報抽出部２２０は、連結記述子から連結ＩＤ＝Ａを抽出する。情報記憶部２３０は、この連結ＩＤ＝Ａとともに、放送サービス名、サブチャンネルの周波数等を記憶する。以後、同様にセグメント３０４〜３１０までの受信が行われ、これらのセグメントには、それぞれ連結ＩＤ＝Ａが県連して記憶される。次に、セグメント３１２が受信され、この伝送情報が抽出され、記憶される。こうして、スキャンが終了した後、リスト作成部２４０は、情報記憶部２３０に記憶された伝送情報に基づき、プリセットリストを作成する。図１０（Ａ）の例では、プリセットリストには、７つのセグメントＩＤにそれぞれ対応する放送サービス名および周波数（チャンネル情報）が登録される。
【００４１】
図９のフローに戻り、地域Ｂへ移動したとき、お出かけスキャンが実行される（Ｓ１０４）。お出かけスキャンは、地域Ｂにおいて放送サービスまたは放送局を受信することができるようにプリセットリストを更新する（Ｓ１０６）。図１０（Ｂ）は、地域Ｂにおける伝送帯域ｂの伝送例とそこでのスキャン動作を説明している。お出かけスキャンによりプリセットリストの更新が起動されると、スキャン部２１０は、受信部１２０に周波数の低い方から順にセグメントの受信を開始させる。図１０（Ｂ）の例では、初めにセグメント４００が受信される。情報抽出部２２０は、セグメント４００のトランスポートストリームから伝送情報を抽出する。情報記憶部２３０は、セグメント４００の放送サービス名と一致するサービス名を記憶している場合には、スキャンによって抽出されたセグメントＩＤ、周波数に更新する。
【００４２】
次のセグメント４０２は、連結ＩＤ＝Ａをもつ連結送信されたものである。図１１に、連結ＩＤを受信したときのリスト更新部２５０の動作フローを示す。セグメント４０２が受信され（Ｓ２００）、そのトランスポートストリームから伝送情報が抽出され、連結セグメント判定部２５２は、伝送情報内に連結ＩＤが含まれているか否かをチェックする（Ｓ２０２）。連結セグメント判定部２５２は、連結ＩＤが含まれている場合には、その連結ＩＤが情報記憶部２３０に記憶された連結ＩＤに一致するか否かを判定する（Ｓ２０４）。この例では、地域Ｂのスキャンで得られた連結ＩＤ＝Ａが、以前の地域Ａのスキャンで得られた連結ＩＤ＝Ａに一致するか否かが判定される。連結ＩＤが一致した場合には、連結周波数範囲決定部２５４は、情報記憶部２３０に記憶された各セグメントの連結ＩＤを検索し、同一の連結ＩＤをもつセグメントを識別し、連結されたセグメントの周波数範囲を決定する（Ｓ２０６）。図１０（Ｂ）の場合、セグメント４０２が連結先頭セグメントであり、セグメント４１０が連結最終セグメントであり、この範囲が決定される。なお、現在のスキャンしている周波数は既知であるため、連結最終セグメントの周波数が認識できれば十分である。
【００４３】
連結周波数範囲決定部２５４により連結周波数範囲が決定されると、リスト更新部２５０は、連結周波数範囲のスキャンが除外されるようにスキャン部２１０を制御する（Ｓ２０８）。図１０（Ｂ）の例では、連結先頭セグメント４０２の次のセグメント４０４から連結最終セグメント４１０までの周波数帯のスキャンが除外され、次のセグメント４１２へのスキャンが行われる。こうして、連結対象のセグメントを除く全伝送帯域のスキャンが実施され（Ｓ２１０）、その後、リスト更新部２５０によりプリセットリストが更新される（Ｓ２１２）。
【００４４】
プリセットリストの更新では、連結先頭セグメントを除く残りの連結されたセグメントのスキャンは実施されていないので、連結内容推測部２５６は、情報記憶部２３０に記憶された各セグメントの伝送情報を利用して連結内容を推測する。図１０（Ｂ）の例では、連結先頭セグメント４０２の周波数は、スキャンで得られた伝送情報に基づき更新され、それに以降の残りの連結された他のセグメント４０４〜４１０の周波数は、連結先頭セグメントの周波数に基づき更新される。連結先頭セグメント４０２の周波数ｆｂが、連結先頭セグメント３０２の周波数ｆａであるとき、その差分｜ｆｂ−ｆａ｜によりセグメント４０４〜４１０の周波数が更新される。それ以外のセグメント４０４〜４１０の配列や放送サービス名は、情報記憶部２３０に記憶された伝送情報がそのまま利用される。
【００４５】
図１０（Ｃ）は、地域Ｃの伝送帯域ｃの伝送例であり、この伝送例では、連結ＩＤ＝Ｂの連結送信が含まれている。地域Ｃで、プリセットリストが更新される場合について説明する。セグメント５００が受信され（Ｓ２００）、情報抽出部２２０によりセグメント５００のトランスポートストリームから連結ＩＤ＝Ｂが抽出される（Ｓ２０２）。連結ＩＤが含まれているので、連結セグメント判定部２５２は、連結ＩＤ＝Ｂが情報記憶部２３０に記憶された連結ＩＤに一致するか否かを判定する（Ｓ２０４）。この例では、連結ＩＤ＝Ｂは、以前に受信されていないので、連結送信のセグメントのスキャンのスキップは行われる、連結送信された次のセグメント５０２が受信され伝送情報が抽出される。こうして、連結ＩＤ＝Ｂで連結送信されたセグメント５０４まで受信が行われ、伝送情報が抽出される。次に、セグメント５０６の受信において連結ＩＤ＝Ａが抽出されると、その次のセグメント５０８からセグメント５１４までの連結送信のスキャンは、図１０（Ｂ）のときと同様にスキップされ、セグメント５０８〜５１４の連結送信の内容は、図１０（Ａ）でスキャンしたときのセグメント３０２〜３１０の伝送情報に基づき推測される。
【００４６】
このように本実施例では、Ｖ−Ｌｏｗマルチメディア放送のスキャンにおいて、連結送信グループＩＤが同一である連結構成は、セグメント数、ＴＳの構成が同一であることを利用し、スキャン中に、現在のプリセットリストにある連結送信グループＩＤと一致したＴＳを検出したときは、そのＴＳを先頭とした連結セグメント数のＴＳ構成を推定し、周波数情報のみを更新し、連結対象セグメントの次のセグメントの周波数を受信するようにスキャンを制御したので、プリセットリストの更新に要する時間を短縮することができる。
【００４７】
次に、本発明の第２の実施例について説明する。第２の実施例では、中継局同士は互いに周波数を異にするが、連結送信されたセグメント構成は同一であることを利用し、中継局がサーチされた場合には、サーチ実行前のプリセットリスト情報と、連結先頭セグメントの伝送情報から連結セグメントの構成を推測し、プリセットリストが更新されるまでの時間を短縮させる。
【００４８】
図４（Ａ）において、放送サービス２を視聴している場合に、受信感度が悪化しあるいは放送エリアを逸脱したとき、中継局サーチが実行される。中継局の周波数は、現在視聴している放送サービス２のＴＳのＮＩＴから抽出することができ、図４（Ｂ）に示すように中継局へ受信が切り替えられる。中継局サーチが実行されるということは、他の放送サービスも同様に受信できなくなっている可能性が高いため、プリセットリストが自動的に更新される。この場合、ＶＨＦ  １ＣＨのスキャンが実行され、中継局が受信されえたＶＨＦ  ２ＣＨのスキャンがスキップされ、ＶＨＦ  ３ＣＨのスキャンが実行される。ＶＨＦ  ２ＣＨの連結セグメント（Ｎｏ．１〜Ｎｏ５）の構成は、情報記憶部２３０に記憶された連結セグメントの伝送情報、つまりプリセットリストに登録された情報から推測される。この場合、図４（Ａ）で視聴していたサービス２の周波数ｆ２と、中継局のサービス２の周波数ｆ２ａとの差分｜ｆ２ａ−ｆ２｜を算出し、この差分を用いて放送サービス１、３、４、５の周波数を更新する。このように、中継局を含む連結対象のスキャンを省くことで、プリセットリストの更新時間を大幅に短縮することができる。なお、第２の実施例では、セグメントの連結ＩＤの一致、不一致の判定を行っていないが、勿論、中継局の放送サービス２を受信したときに、中継局の連結ＩＤと、元の視聴していた放送サービス２の連結ＩＤを比較し、両者が一致する場合に、連結送信されたセグメント構成が同一であると推測するようにしてもよい。
【００４９】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００５０】
１００：車載デジタル放送受信機        １１０：アンテナ
１２０：受信部                        １３０：データ処理部
１４０：出力部                        １５０：制御部
１６０：記憶部                        １７０：入力部
２００：プリセットリスト機能部        ２１０：スキャン部
２２０：情報抽出部                    ２３０：情報記憶部
２４０：リスト作成部                  ２５０：リスト更新部
２５２：連結セグメント判定部          ２５４：連結周波数範囲決定部
２５６：連結内容推測部
【図１】
2014096756.tif 000003
【図２】
2014096756.tif 000004
【図３】
2014096756.tif 000005
【図４】
2014096756.tif 000006
【図５】
2014096756.tif 000007
【図６】
2014096756.tif 000008
【図７】
2014096756.tif 000009
【図８】
2014096756.tif 000010
【図９】
2014096756.tif 000011
【図１０】
2014096756.tif 000012
【図１１】
2014096756.tif 000013